(57)【特許請求の範囲】
【請求項１】
先軸部と該先軸部に摺動自在に嵌合して伸縮調整自在の後軸部とよりなり、先軸部は口金を螺着した先軸本体と、該先軸本体に内設した芯筒に挿脱自在に緊入して口金より芯先を突出させたボールペンリフィルと、該ボールペンリフィルと口金の間にコイルバネ、口金ストッパ−を介してボールペンリフィルの芯先を隠蔽する位置まで突出自在とした摺動先金と、先軸部の後方に突出し摺動先金をコイルバネに抗して押圧自在とした押棒と、前記芯筒を挿設する空気孔を貫通した挿入部と先軸本体の後方に突設した後述のメスホックに対応するオスホックとを設けて先軸本体の後部に固定した先軸天冠とよりなり、この先軸天冠には中空間を設けて先軸天冠を貫遊する押棒を露呈させ、この露呈する押棒には拡径部を設けて押棒の移動距離を規制自在とし、  後軸部は、後軸本体と、後軸本体の後端部に、中央に通孔のある一対の椀型当て冠間に挟着しクリップホルダーを介して内設されて通孔よりメス部が後方に突出したメスホックと、前記クリップホルダーと後軸天冠間に挟着したクリップとよりなり、押棒は後軸本体の先軸本体への押入操作により摺動先金を押圧自在とすると共にメスホックは後軸本体の押入位置において先軸本体３のオスホックと掛合自在とし、先軸部と後軸部の接合部は、先軸本体の後部に接当して取付けた羽根スプリングと、後軸本体の先端に固定したサヤ中子とよりなって、サヤ中子と羽根スプリングとを掛止自在とした伸縮式ボールペン。
【発明の詳細な説明】
【０００１】
【産業上の利用分野】
本発明は伸縮式ボ−ルペンの改良に関するものである。
【０００２】
【従来技術及びその問題点】
従来この種ボールペンの伸縮操作に際し、収縮時に先軸本体と後軸本体に設けた永久磁石及び磁性体とが磁着するようになっており、その磁着により収縮状態を維持するようになっている。
【０００３】
その結果磁力線が後軸本体或は先軸本体の表面から漏れるおそれがあり、そのため磁力線の漏れ防止加工を施したりして高価になったり、又漏れ防止加工を施しても完全な磁力線防止ができなくキャッシュカ−ドなどの磁気カ−ドを損傷する虞がある。
【０００４】
又永久磁石は厚さが必要であるために、その厚さ分だけ収縮時における全体の長さが増加することになり、又磁石の磁力によって組立て作業がしにくく、又組立て時には、押棒が抜けやすく、組立て作業が遅くなるなどの欠点がある。
【０００５】
【発明が解決しようとする課題】
そこで本発明は、先軸本体と後軸本体の収縮状態の保持を磁石を使用せずにホック止めによって行い、キャッシュカ−ドなどの磁気カ−ドに触れても磁気漏れによる損傷をなくし、且つ収縮時における全体の長さをより短くしてより携帯に便利ならしめ、且つ組立て作業をより簡単にして作業の効率化を図ろうとするものである。
【０００６】
【課題を解決するための手段】
本発明は、先軸部と該先軸部に摺動自在に嵌合して伸縮調整自在の後軸部とよりなり、先軸部は口金を螺着した先軸本体と、該先軸本体に内設した芯筒に挿脱自在に緊入して口金より芯先を突出させたボールペンリフィルと、該ボールペンリフィルと口金の間にコイルバネ、口金ストッパ−を介してボールペンリフィルの芯先を隠蔽する位置まで突出自在とした摺動先金と、先軸部の後方に突出し摺動先金をコイルバネに抗して押圧自在とした押棒と、前記芯筒を挿設する空気孔を貫通した挿入部と先軸本体の後方に突設した後述のメスホックに対応するオスホックとを設けて先軸本体の後部に固定した先軸天冠とよりなり、この先軸天冠には中空間を設けて先軸天冠を貫遊する押棒を露呈させ、この露呈する押棒には拡径部を設けて押棒の移動距離を規制自在とし、  後軸部は、後軸本体と、後軸本体の後端部に、中央に通孔のある一対の椀型当て冠間に挟着しクリップホルダーを介して内設されて通孔よりメス部が後方に突出したメスホックと、前記クリップホルダーと後軸天冠間に挟着したクリップとよりなり、押棒は後軸本体の先軸本体への押入操作により摺動先金を押圧自在とすると共にメスホックは後軸本体の押入位置において先軸本体３のオスホックと掛合自在とし、先軸部と後軸部の接合部は、先軸本体の後部に接当して取付けた羽根スプリングと、後軸本体の先端に固定したサヤ中子とよりなって、サヤ中子と羽根スプリングとを掛止自在とした伸縮式ボールペンである。
【０００７】
【実施例】
本発明を図示の実施例によって詳記すると、先軸部１と該先軸部１に摺動自在に嵌合して伸縮調整自在の後軸部２とよりなり、先軸部１は口金４を螺着した先軸本体３と、該先軸本体３に内設した芯筒５に挿脱自在に緊入して口金４より芯先を突出させたボールペンリフィル６と、該ボールペンリフィル６と口金４の間にコイルバネ７、口金ストッパ−７’を介してボールペンリフィル６の芯先を隠蔽する位置まで突出自在とした摺動先金８と、先軸部１の後方に突出し摺動先金８をコイルバネ７に抗して押圧自在とした押棒９と、前記芯筒５を挿設する空気孔１０を貫通した挿入部１１と、先軸本体３の後方に突設した後述のメスホック１９に対応するオスホック１２とを設けて先軸本体３の後部に固定した先軸天冠１５とよりなり、この先軸天冠１５には中空間１３を設けて先軸天冠１５を貫遊する押棒９を露呈させ、この露呈する押棒９には拡径部１４を設けて押棒９の移動距離を規制自在としてある。
【０００８】
後軸部２は、後軸本体１６と、後軸本体１６の後端部に、中央に通孔２５のある一対の椀型当て冠１７、１７'間に挟着しクリップホルダー１８を介して内設されて通孔２５よりメス部１９’が後方に突出し前記オスホック１２に対応するメスホック１９と、前記クリップホルダー１８と後軸天冠２１間に挟着したクリップ２０とよりなっている。これら当て間１７，１７’、クリップホルダー１８、メスホック１９、後軸天冠２１、クリップ２０は後軸本体１６に固定されている。
【０００９】
押棒９は後軸本体１６の先軸本体３への押入操作により摺動先金８を押圧自在とすると共に、メスホック１９は後軸本体１６の押入位置において先軸本体３のオスホック１２と掛合自在とする。
【００１０】
先軸部１と後軸部２の接合部２２は、先軸本体３の後部に接当して取付けた羽根スプリング２３、２３と、後軸本体１６の先端に固定したサヤ中子２４とよりなって、このサヤ中子２４は羽根スプリング２３、２３と掛止自在としたものである。
【００１１】
摺動先金８の移動距離、押棒９長さ、規制部１４の位置、中空間１３の長さ、ボールペンリフィル６の長さ等は互いの相対関係において決定する。
【００１２】
押棒９の規制部１４は、予め先軸天冠１５に設けた貫通孔１５’に圧入して中空間１３に位置するようにする。
【００１３】
本発明は以上の如く具現されるもので、図１の伸長状態から図２の収縮状態にするには、後軸本体１６を前方に押し出すことにより当て冠１７が押棒９の後端に触れ、口金ストッパ−７’、摺動先金８をコイルバネ７に抗して前方に押し出しボールペンリフィル６の芯先を隠すと同時にオスホック１２、メスホック１９が掛合し、全体が図２のように収縮状態になる。
【００１４】
後軸本体１６を後方に引いてオスホック１２、メスホック１９の掛合を解くことにより押棒９の摺動先金８への押圧が解け、コイルバネ７によって摺動先金８が内方に引込むと同時にボールペンリフィル６の芯先が露出し、図１の伸長状態になる。
【００１５】
【効果】
本発明は叙上の如く、先軸部と該先軸部に摺動自在に嵌合して伸縮調整自在の後軸部とよりなり、先軸部は口金を螺着した先軸本体と、該先軸本体に内設した芯筒に挿脱自在に緊入して口金より芯先を突出させたボールペンリフィルと、該ボールペンリフィルと口金の間にコイルバネ、口金ストッパ−を介してボールペンリフィルの芯先を隠蔽する位置まで突出自在とした摺動先金と、先軸部の後方に突出し摺動先金をコイルバネに抗して押圧自在とした押棒と、前記芯筒を挿設する空気孔を貫通した挿入部と先軸本体の後方に突設した後述のメスホックに対応するオスホックとを設けて先軸本体の後部に固定した先軸天冠とよりなり、この先軸天冠には中空間を設けて先軸天冠を貫遊する押棒を露呈させ、この露呈する押棒には拡径部を設けて押棒の移動距離を規制自在とし、  後軸部は、後軸本体と、後軸本体の後端部に、中央に通孔のある一対の椀型当て冠間に挟着しクリップホルダーを介して内設されて通孔よりメス部が後方に突出し前記オスホックに対応するメスホックと、前記クリップホルダーと後軸天冠間に挟着したクリップとよりなり、押棒は後軸本体の先軸本体への押入操作により摺動先金を押圧自在とすると共にメスホックは後軸本体の押入位置において先軸本体３のオスホックと掛合自在とし、先軸部と後軸部の接合部は、先軸本体の後部に接当して取付けた羽根スプリングと、後軸本体の先端に固定したサヤ中子とよりなって、サヤ中子と羽根スプリングとを掛止自在としたものである。その結果、従来のように、磁石を使用していないので後軸本体或は先軸本体の表面から磁力線の漏れるおそれがなく、又そのため磁力線の漏れ防止加工等を施さなくとも良いので安価にでき、且つキャッシュカ−ドなどの磁気カ−ドも一緒に安全に持ち歩くことができる。
【００１６】
オスホック、メスホックの互いの掛合により収縮状態を維持するようになっているので比較的薄い空間に装置することができ、その薄さ分だけ収縮時における全体の長さが短くなりよりコンパクト化ができる。これに対し従来の磁石を使用したものは磁石自体が厚くなっているため収縮時における全体の長さが比較的長くなり、コンパクト化に劣る。
【００１７】
又磁石は組立て作業がしにくいが、本発明のように、オスホックや当て冠間に挟着するメスホックの組立て作業が簡単でより安価に提供できる。
【００１８】
更に先軸天冠の中空間に押棒の規制部を位置させてあるので、組立て作業時や、口金を外したときでも押棒は抜け落ちる心配がなく、作業効率を高めることができる。
【図面の簡単な説明】
【図１】  本発明ボ−ルペンの伸張時における断面説明図。
【図２】本発明ボールペンの収縮時における断面説明図。
【符号の説明】
１は先軸部
２は後軸部
３は先軸本体
４は口金
５は芯筒
６はボールペンリフィル
７はコイルバネ
７’は口金ストッパ−
８は摺動金具
９は押棒
１０は空気孔
１１は挿入部
１２はオスホック
１３は中空間
１４は拡径部
１５は先軸天冠
１５’は貫通孔
１６は後軸本体
１７、１７’は当て冠
１８はクリップホルダ−
１９はメスホック
２１は後軸天冠
２２は接合部
２３は羽根するリング
２４はサヤ中子
【図１】
0003665757.tif 000002
【図２】
0003665757.tif 000003